(57)【要約】【課題】ユーザーがイヤホンの左右を簡単に判別することができるイヤホンを提供する。【解決手段】イヤホン１００は、ユーザーの耳に接触するシェル１１０と、シェル１１０の内部に設けられるイヤホン本体１２０と、シェル１１０における耳と接触する側に対して反対側である外側に取り付けられる装飾部１３０とを有している。装飾部１３０が、左右で異なる関係の形状または模様を有している。左右の装飾部１３０のプレート面１３１の一方のみに小さな突起１３１ａを設けたことにより、装飾部１３０が、左右で異なる関係の凹凸形状を有するようにしてもよい。また、左右の装飾部１３０の外周縁１３２の一方のみに小さな突起１３２ａを設けたことにより、装飾部１３０が、左右で異なる関係の輪郭形状を有するようにしてもよい。【選択図】図１
0003230859.tif 000002
【実用新案登録請求の範囲】
【請求項１】
ユーザーの耳に接触するシェルとシェルの内部に設けられるイヤホン本体とを備えた左右一対のイヤホンであって、
前記シェルにおける耳と接触する側に対して反対側である外部側に取り付けられる装飾部を有し、
前記装飾部が、左右で異なる関係の形状または模様を有していることを特徴とするイヤホン。
【請求項２】
前記装飾部が、プレート状であり、装飾部の外部側面であるプレート面において左右で異なる関係となる凹凸形状を有していることを特徴とする請求項１に記載のイヤホン。
【請求項３】
前記装飾部が、プレート状であり、装飾部の外周縁が、左右で異なる関係の輪郭形状を有し、シェルにおける装飾部取り付け面の外周縁より突出して取り付けられていることを特徴とする請求項１または請求項２に記載のイヤホン。
【考案の詳細な説明】
【技術分野】
【０００１】
本考案は、ユーザーの耳に接触するシェルと、シェルの内部に設けられるイヤホン本体とを備えた左右一対のイヤホンに関する。
【背景技術】
【０００２】
従来、本体部、イヤーピース、外部防水膜、ドライバユニット、ハウジング、バッテリー、アンテナ、および係止部を備えたイヤホンが知られている（例えば、特許文献１）。
【先行技術文献】
【特許文献】
【０００３】
【特許文献１】特開２０２０−５７９７９号公報
【考案の概要】
【考案が解決しようとする課題】
【０００４】
しかしながら、上述した従来のイヤホンは、左右の一対の間で同じ形状または所謂、左右対称の線対称の関係を有した構造であったため、ユーザーはイヤホンの左右を判別することが困難であるという問題があった。
また、左用イヤホンには「Ｌ」、右用イヤホンには「Ｒ」の小さな文字が印刷されているものがあり、ユーザーは装着する際に「Ｌ」、「Ｒ」の小さな文字を確認して装着しなければならないという問題があった。
【０００５】
そこで、本考案は、前述したような従来技術の問題を解決するものであって、すなわち、本考案の目的は、ユーザーがイヤホンの左右を簡単に判別することができるイヤホンを提供することである。
【課題を解決するための手段】
【０００６】
本請求項１に係る考案は、ユーザーの耳に接触するシェルとシェルの内部に設けられるイヤホン本体とを備えた左右一対のイヤホンであって、前記シェルにおける耳と接触する側に対して反対側である外部側に取り付けられる装飾部を有し、前記装飾部が、左右で異なる関係の形状または模様を有していることにより、前述した課題を解決するものである。
ここで、「左右で異なる関係」とは、全体として左右で関係性を有さず、点対称および線対称の対称関係でもない関係をいう。
【０００７】
本請求項２に係る考案は、請求項１に記載されたイヤホンの構成に加えて、前記装飾部が、プレート状であり、装飾部の外部側面であるプレート面において左右で異なる関係となる凹凸形状を有していることにより、前述した課題をさらに解決するものである。
【０００８】
本請求項３に係る考案は、請求項１または請求項２に記載されたイヤホンの構成に加えて、前記装飾部が、プレート状であり、装飾部における装飾部取り付け面の外周縁が、左右で異なる関係の輪郭形状を有し、シェルの外周縁より突出して取り付けられていることにより、前述した課題をさらに解決するものである。
【考案の効果】
【０００９】
本考案のイヤホンは、ユーザーの耳に接触するシェルとシェルの内部に設けられるイヤホン本体とを備えたことにより、ユーザーの耳に装着したとき、ユーザーはイヤホンから音楽などの音を聴いて楽しむことができるばかりでなく、以下のような特有の効果を奏することができる。
【００１０】
本請求項１に係る考案のイヤホンによれば、左右一対のイヤホンの外部側となる装飾部の見た目が左右で異なるため、ユーザーはイヤホンの左右を簡単に判別することができる。
また、装飾部がアクセントになるため、ファッションとして楽しむことができ、イヤリング形状のものを装飾部として取り付けると、ユーザーの耳（特に耳たぶ）の負担を軽減することができる。
つまり、装飾部をシェルに取り付けたことによりイヤホン本体またはシェルに記載された左右表示が覆われて視認できない場合であっても左右を判別することができる。
【００１１】
本請求項２に係る考案のイヤホンによれば、請求項１に係る考案が奏する効果に加えて、装飾部のプレート面の凹凸形状が左右で異なるため、薄暗い場所であってもユーザーはイヤホンの左右を簡単に判別することができる。
また、ユーザーが視力の弱い方や目の不自由な方であってもイヤホンの左右を簡単に判別することができる。
【００１２】
本請求項３に係る考案のイヤホンによれば、請求項１または請求項２に係る考案が奏する効果に加えて、ユーザーがイヤホンを手で持つとき、装飾部の外周縁の凹凸形状などの輪郭形状が指先に触れるため、ユーザーはイヤホンの左右をより確実に判別することができる。
【図面の簡単な説明】
【００１３】
【図１】（Ａ）〜（Ｃ）は本考案の第１実施例であるイヤホンを外部側から視た図、内耳側から視た図およびユーザー装着時の正面から視た一部分解図。
【図２】（Ａ）〜（Ｃ）は本考案の第２実施例であるイヤホンを外部側から視た図、内耳側から視た図およびユーザー装着時の正面から視た一部分解図。
【図３】（Ａ）〜（Ｃ）は本考案の他の実施例であるイヤホンを外部側から視た図。
【考案を実施するための形態】
【００１４】
本考案のイヤホンは、ユーザーの耳に接触するシェルと、シェルの内部に設けられるイヤホン本体とを備え、シェルにおける耳と接触する側に対して反対側である外部側に取り付けられる装飾部を有し、装飾部が、左右で異なる関係の形状または模様を有していることにより、ユーザーはイヤホンの左右を簡単に判別することができ、ファッションとして楽しむことができるものであれば、その具体的な実施態様は、如何なるものであっても構わない。
【００１５】
ここで、「左右で異なる関係」とは、全体として左右で関係性を有さず、点対称および線対称の対称関係でもない関係をいう。
例えば、シェルの材質は、ゴム、エラストマー、シリコーン、軟性樹脂など変形して耳にフィットするものや、変形せずにフィットするものであれば如何なるものであっても構わない。
また、装飾部は、シェルの外部側に接着などによって取り付けられものであれば如何なるものであっても構わない。
イヤホン本体は、音楽再生機器と無線による近距離通信するものでもよいし、音楽再生機器と有線接続されたものでもよい。
【実施例１】
【００１６】
以下に、本考案の第１実施例であるイヤホン１００について、図１（Ａ）〜図１（Ｃ）に基づいて説明する。
ここで、図１（Ａ）は、本考案の第１実施例であるイヤホン１００を外部側から視た図であり、図１（Ｂ）は、本考案の第１実施例であるイヤホン１００を内耳側から視た図であり、図１（Ｃ）は、本考案の第１実施例であるイヤホン１００をユーザー装着時の正面から視た一部分解図である。
【００１７】
本考案の第１実施例であるイヤホン１００は、図１（Ａ）〜図１（Ｃ）に示すように、ユーザーの耳に接触するシェル１１０と、シェル１１０の内部に設けられるイヤホン本体１２０とを備えている。
このうち、シェル１１０は、所謂、カナル型と呼ばれるものであり、万人の耳にフィットするように形成されている。
カナル型の場合、シリコーンゴムなどで形成されたイヤーピース１４０が、シェル１１０を介してイヤホン本体１２０に取り付けられている。
そして、イヤホン１００装着時に、イヤーピース１４０が、ユーザーの耳の穴に収まるように設けられている。
【００１８】
さらに、本実施例では、イヤホン１００が、シェル１１０における耳と接触する側に対して反対側である外部側に取り付けられる所謂、フェイスプレートである装飾部１３０を有している。
図１（Ａ）に示すように、装飾部１３０が、左右で異なる関係の形状または模様を有している。
なお、形状および模様の少なくとも一方が、左右のイヤホン１００で異なる関係であればよい。
【００１９】
これにより、左右一対のイヤホン１００の外部側となる装飾部１３０の見た目が左右で異なる。
その結果、ユーザーは左用イヤホン１００Ｌ、右用イヤホン１００Ｒの左右を簡単に判別することができる。
また、装飾部１３０がアクセントになる。
その結果、ファッションとして楽しむことができ、イヤリング形状のものを装飾部１３０として取り付けると、ユーザーの耳（特に耳たぶ）の負担を軽減することができる。
つまり、装飾部１３０をシェル１１０に取り付けたことによりイヤホン本体１２０またはシェル１１０に記載された左右表示が覆われて視認できない場合であっても左用イヤホン１００Ｌ、右用イヤホン１００Ｒの左右を判別することができる。
【００２０】
さらに、本実施例では、装飾部１３０が、プレート状である。
そして、装飾部１３０が、装飾部１３０の外部側面であるプレート面１３１において左右で異なる関係となる凹凸形状を有している。
例えば、左右の装飾部１３０のプレート面１３１の一方のみに小さな突起１３１ａを設けたことにより、装飾部１３０が、左右で異なる関係の凹凸形状を有するようにしてもよい。
【００２１】
これにより、装飾部１３０のプレート面１３１の凹凸形状が左右で異なる。
その結果、薄暗い場所であってもユーザーは左用イヤホン１００Ｌ、右用イヤホン１００Ｒの左右を簡単に判別することができる。
また、ユーザーが視力の弱い方や目の不自由な方であっても左用イヤホン１００Ｌ、右用イヤホン１００Ｒの左右を簡単に判別することができる。
【００２２】
また、本実施例では、装飾部１３０における装飾部取り付け面の外周縁１３２が、左右で異なる関係の輪郭形状を有している。
例えば、左右の装飾部１３０の外周縁１３２の一方のみに小さな突起１３２ａを設けたことにより、装飾部１３０が、左右で異なる関係の輪郭形状を有するようにしてもよい。
そして、装飾部１３０の外周縁１３２が、シェル１１０の外周縁１１１より突出してシェル１１０に取り付けられている。
これにより、ユーザーがイヤホン１００を手で持つとき、装飾部１３０の外周縁１３２の輪郭形状（凹凸形状）が指先に触れる。
その結果、ユーザーは左用イヤホン１００Ｌ、右用イヤホン１００Ｒの左右をより確実に判別することができる。
【００２３】
このようにして得られた本考案の第１実施例であるイヤホン１００は、ユーザーの耳に接触するシェル１１０とシェル１１０の内部に設けられるイヤホン本体１２０とを備え、シェル１１０における耳と接触する側に対して反対側である外部側に取り付けられる装飾部１３０を有し、装飾部１３０が、左右で異なる関係の形状または模様を有していることにより、ユーザーは左用イヤホン１００Ｌ、右用イヤホン１００Ｒの左右を簡単に判別することができ、ファッションとして楽しむことができる。
【００２４】
さらに、装飾部１３０が、プレート状であり、装飾部１３０の外部側面であるプレート面１３１において左右で異なる関係となる凹凸形状を有していることにより、薄暗い場所であってもユーザーは左用イヤホン１００Ｌ、右用イヤホン１００Ｒの左右を簡単に判別することができ、ユーザーが視力の弱い方や目の不自由な方であってもイヤホン１００の左右を簡単に判別することができる。
【００２５】
また、装飾部１３０が、プレート状であり、装飾部１３０の外周縁１３２が、左右で異なる関係の輪郭形状を有し、シェル１１０における装飾部取り付け面の外周縁１１１より突出して取り付けられていることにより、ユーザーは左用イヤホン１００Ｌ、右用イヤホン１００Ｒの左右をより確実に判別することができるなど、その効果は甚大である。
【実施例２】
【００２６】
続いて、本考案の第２実施例であるイヤホン２００について、図２（Ａ）〜図２（Ｃ）に基づいて説明する。
ここで、図２（Ａ）は、本考案の第２実施例であるイヤホン２００を外部側から視た図であり、図２（Ｂ）は、本考案の第２実施例であるイヤホン２００を内耳側から視た図であり、図２（Ｃ）は、本考案の第２実施例であるイヤホン２００をユーザー装着時の正面から視た一部分解図である。
第２実施例のイヤホン２００は、第１実施例のイヤホン１００のシェル１１０をオーダーメイドタイプに変更したものであり、多くの要素について第１実施例のイヤホン１００と共通するので、共通する事項については詳しい説明を省略し、下２桁が共通する２００番台の符号を付すのみとする。
【００２７】
本考案の第２実施例であるイヤホン２００は、図２（Ａ）〜図２（Ｃ）に示すように、ユーザーの耳に接触するシェル２１０と、シェル２１０の内部に設けられるイヤホン本体２２０とを備えている。
このうち、シェル２１０は、所謂、イン・イヤーモニター型と呼ばれるものであり、ユーザー個人の耳型を採取して一点ものとして製作し、そのユーザーの耳にフィットするように形成されている。
イン・イヤーモニター型の場合、カナル型と異なりイヤーピースを使用しない。
そして、イヤホン２００装着時に、シェル２１０の一部が、ユーザーの耳の穴に収まるように設けられている。
【００２８】
さらに、本実施例では、イヤホン２００が、シェル２１０における耳と接触する側に対して反対側である外部側に取り付けられる装飾部２３０を有している。
図２（Ａ）に示すように、装飾部２３０が、左右で異なる関係の形状または模様を有している。
これにより、前述した実施例と同様の作用効果を得ることができる。
つまり、ユーザーは左用イヤホン２００Ｌ、右用イヤホン２００Ｒの左右を簡単に判別することができ、ファッションとして楽しむことができる。
【他の実施形態】
【００２９】
続いて、本考案の他の実施形態であるイヤホン３００について、図３（Ａ）〜図３（Ｃ）に基づいて説明する。
ここで、図３（Ａ）は、本考案の他の実施形態１であるイヤホン３００を外部側から視た図であり、図３（Ｂ）は、本考案の他の実施形態２であるイヤホン３００を外部側から視た図であり、図３（Ｃ）は、本考案の他の実施形態３であるイヤホン３００を外部側から視た図である。
他の実施形態１〜３のイヤホン３００は、第１実施例のイヤホン１００の装飾部１３０を変更したものであり、多くの要素について第１実施例のイヤホン１００と共通するので、共通する事項については詳しい説明を省略し、下２桁が共通する３００番台の符号を付すのみとする。
【００３０】
本考案の他の実施形態１〜３であるイヤホン３００は、図３（Ａ）〜図３（Ｃ）に示すように、ユーザーの耳に接触するシェル３１０と、シェル３１０の内部に設けられるイヤホン本体（図示せず）とを備えている。
さらに、イヤホン３００が、シェル３１０における耳と接触する側に対して反対側である外部側に取り付けられる装飾部３３０を有している。
【００３１】
図３（Ａ）に示すように、他の実施形態１のイヤホン３００の装飾部３３０は、プレート面３３１の上に設けられた石座３３３と、石座３３３の中に設けられた中石３３４とを有している。
この中石３３４が、天然のマーブル模様や形状を有していることにより、装飾部３３０が、左右で異なる関係の形状および模様を有する。
これにより、前述した作用効果を得ることができる。
つまり、ユーザーは左用イヤホン３００Ｌ、右用イヤホン３００Ｒの左右を簡単に判別することができ、ファッションとして楽しむことができる。
【００３２】
図３（Ｂ）に示すように、他の実施形態２のイヤホン３００の装飾部３３０は、例えばアンティークの切手を配置した切手層３３５と、切手層３３５の上に透明樹脂で形成されたクリア層３３６とを有している。
この切手層３３５の切手の例えば、虎や豹の動物の種類や構図などの図柄が左右で異なることにより、装飾部３３０が、左右で異なる関係の形状または模様を有する。
これにより、前述した作用効果を得ることができる。
【００３３】
図３（Ｃ）に示すように、他の実施形態３のイヤホン３００の装飾部３３０は、彫り物部３３７を有している。
彫り物部３３７は、一例として手彫りで形成された昆虫の彫り物形状を有している。
そして、左右で昆虫の向きが異なることにより、装飾部３３０が、左右で異なる関係の形状または模様を有する。
なお、彫り物部３３７には、漆が塗られている。漆によって、装飾部３３０が、左右で異なる関係の模様を有するように構成してもよい。
これにより、前述した作用効果を得ることができる。
【符号の説明】
【００３４】
１００、  ２００、  ３００  ・・・  イヤホン
１００Ｌ、２００Ｌ、３００Ｌ・・・  左用イヤホン
１００Ｒ、２００Ｒ、３００Ｒ・・・  右用イヤホン
１１０、  ２１０、  ３１０  ・・・  シェル
１１１、  ２１１            ・・・  （シェルの）外周縁
１２０、  ２２０            ・・・  イヤホン本体
１３０、  ２３０、  ３３０  ・・・  装飾部（フェイスプレート）
１３１、  ２３１、  ３３１  ・・・  プレート面
１３１ａ                    ・・・  （プレート面の）突起
１３２、  ２３２、          ・・・  （フェイスプレートの）外周縁
１３２ａ                    ・・・  （外周縁の）突起
３３３  ・・・  石座
３３４  ・・・  中石
３３５  ・・・  切手層
３３６  ・・・  クリア層
３３７  ・・・  彫り物部
１４０                      ・・・  イヤーピース
【図１】
0003230859.tif 000003
【図２】
0003230859.tif 000004
【図３】
0003230859.tif 000005